(57)【要約】【課題】より高度な偽造防止用の印刷を施せるザンメル印刷機が強く求められている。【解決手段】シートを保持して搬送する圧胴１１１と、ブランケットを装着されて圧胴１１１に対接するゴム胴１１２と、版を装着されてゴム胴に対接する集合版胴１１３と、ブランケットを装着されて集合版胴１１３に対接する集合ゴム胴１１４と、版を装着されて集合ゴム胴１１４に対接する複数の部分版胴１１５Ａ〜１１５Ｃと、各部分版胴１１５Ａ〜１１５Ｃへインキをそれぞれ供給する複数のインキ装置１１６Ａ〜１１６Ｃとを備えているザンメル印刷機１００において、集合版胴１１３の前記版が凸版であり、部分版胴１１５Ａ〜１１５Ｃの前記版が平版であり、各部分版胴１１５Ａ〜１１５Ｃへ湿し水をそれぞれ供給する複数の湿し装置１１７Ａ〜１１７Ｃを備えた。【選択図】図１
2015047799.tif 000002
【特許請求の範囲】
【請求項１】
シートを保持して搬送する圧胴と、
ブランケットを装着されて前記圧胴に対接するブランケット胴と、
版を装着されて前記ブランケット胴に対接する集合版胴と、
ブランケットを装着されて前記集合版胴に対接する集合ブランケット胴と、
版を装着されて前記集合ブランケット胴に対接する複数の部分版胴と、
各前記部分版胴へインキをそれぞれ供給する複数のインキ供給手段と
を備えているザンメル印刷機において、
前記集合版胴の前記版が凸版であり、
前記部分版胴の前記版が平版であり、
各前記部分版胴へ湿し水をそれぞれ供給する複数の給水手段を備えている
ことを特徴とするザンメル印刷機。
【発明の詳細な説明】
【技術分野】
【０００１】
本発明は、絵柄の画線の色を変化させて印刷できるザンメル印刷機に関する。
【背景技術】
【０００２】
絵柄の画線の色を変化させて印刷できるザンメル印刷機は、凸版を装着した部分版胴に対して、軸方向に異なる複数色のインキを振りローラで軸方向に振りながら供給し、集合ゴム胴を介して集合版胴に転写することにより、刷り合せの狂いをまったく生じさせることなく画線の色を上記軸方向で途中から変化させることができるため、偽造防止用として紙幣や有価証券等の印刷に利用されている（例えば、下記特許文献１等参照）。
【先行技術文献】
【特許文献】
【０００３】
【特許文献１】特開２０１３−０８６４３７号公報
【発明の概要】
【発明が解決しようとする課題】
【０００４】
前述したようなザンメル印刷機においては、より高度な偽造防止用の印刷を施せることが強く求められている。
【課題を解決するための手段】
【０００５】
前述した課題を解決するための、本発明に係るザンメル印刷機は、シートを保持して搬送する圧胴と、ブランケットを装着されて前記圧胴に対接するブランケット胴と、版を装着されて前記ブランケット胴に対接する集合版胴と、ブランケットを装着されて前記集合版胴に対接する集合ブランケット胴と、版を装着されて前記集合ブランケット胴に対接する複数の部分版胴と、各前記部分版胴へインキをそれぞれ供給する複数のインキ供給手段とを備えているザンメル印刷機において、前記集合版胴の前記版が凸版であり、前記部分版胴の前記版が平版であり、各前記部分版胴へ湿し水をそれぞれ供給する複数の給水手段を備えていることを特徴とする。
【発明の効果】
【０００６】
本発明に係るザンメル印刷機は、集合版胴の版が凸版であり、部分版胴の版が平版であり、各部分版胴へ湿し水をそれぞれ供給する複数の給水手段を備えていることから、上記部分版胴の平版において、構成される網点の密度や大きさによって当該部分版胴の軸方向及だけでなく全方向（３６０°）の範囲で制約なくグラデーションを形成することができ、そのグラデーションが集合版胴の凸版における絵柄（凸部）に転写されるので、シートの全方向の任意の方向に画線の色が漸次変化するグラデーションを生じさせた絵柄を印刷することができる。その結果、本発明に係るザンメル印刷機によれば、より高度な偽造防止用の印刷を施すことができる。
【図面の簡単な説明】
【０００７】
【図１】本発明に係るザンメル印刷機の主な実施形態の要部概略構成図である。
【発明を実施するための形態】
【０００８】
本発明に係るザンメル印刷機の実施形態を図面に基づいて以下に説明するが、本発明は図面に基づいて説明する以下の実施形態のみに限定されるものではない。
【０００９】
〈主な実施形態〉
本発明に係るザンメル印刷機の主な実施形態を図１に基づいて説明する。
【００１０】
図１に示すように、外周面にシートを保持して搬送する圧胴１１１には、外周面にゴム製のブランケットを装着したブランケット胴であるゴム胴１１２が対接している。前記ゴム胴１１２には、外周面に樹脂製の凸版を装着した集合版胴１１３が対接している。前記集合版胴１１３には、外周面にゴム製のブランケットを装着した集合ブランケット胴である集合ゴム胴１１４が対接している。前記集合ゴム胴１１４には、外周面に平版（Pre-Sensitized plate／ＰＳ版）からなる版を装着した部分版胴１１５Ａ〜１１５Ｃが当該集合ゴム胴１１４の周方向に沿って複数（本実施形態では３つ）対接している。
【００１１】
前記部分版胴１１５Ａ〜１１５Ｃには、インキを供給するインキ供給手段であるインキ装置１１６Ａ〜１１６Ｃがそれぞれ連絡している。各前記インキ装置１１６Ａ〜１１６Ｃは、インキを貯留する２つのインキ壺１１６Ａａ１〜１１６Ｃａ１，１１６Ａａ２〜１１６Ｃａ２と、各前記インキ壺１１６Ａａ１〜１１６Ｃａ１，１１６Ａａ２〜１１６Ｃａ２に対応してインキをそれぞれ引き出す壺ローラ１１６Ａｂ１〜１１６Ｃｂ１，１１６Ａｂ２〜１１６Ｃｂ２と、前記壺ローラ１１６Ａｂ１〜１１６Ｃｂ１，１１６Ａｂ２〜１１６Ｃｂ２で引き出されたインキを前記部分版胴１１５Ａ〜１１５Ｃへ供給するインキローラ列１１６Ａｃ〜１１６Ｃｃとをそれぞれ備えている。
【００１２】
なお、前記インキ装置１１６Ａ〜１１６Ｃは、前記インキ壺１１６Ａａ１〜１１６Ｃａ１が、前記壺ローラ１１６Ａｂ１〜１１６Ｃｂ１の軸方向一方側にインキを貯留し、前記インキ壺１１６Ａａ２〜１１６Ｃａ２が、前記壺ローラ１１６Ａｂ２〜１１６Ｃｂ２の軸方向他方側にインキを貯留することにより、前記部分版胴１１５Ａ〜１１５Ｃに対して、軸方向で異なるインキを供給することができるようになっている。
【００１３】
前記部分版胴１１５Ａ〜１１５Ｃの外周面の、前記集合ゴム胴１１４との対接位置よりも回転方向下流側と、前記インキ装置１１６Ａ〜１１６Ｃの前記インキローラ列１１６Ａｃ〜１１６Ｃｃとの対接位置よりも回転方向上流側との間には、湿し水を供給する給水手段である湿し装置１１７Ａ〜１１７Ｃがそれぞれ連絡している。前記湿し装置１１７Ａ〜１１７Ｃは、湿し水を貯留する水溜め１１７Ａａ〜１１７Ｃａと、前記水溜め１１７Ａａ〜１１７Ｃａ内の湿し水を送り出す水元ローラ１１７Ａｂ〜１１７Ｃｂと、前記水元ローラ１１８Ａｂ〜１１８Ｃｂから送り出された湿し水を前記部分版胴１１５Ａ〜１１５Ｃへ供給する水ローラ列１１７Ａｃ〜１１７Ｃｃとをそれぞれ備えている。
【００１４】
このような本実施形態に係るザンメル印刷機１００においては、前記湿し装置１１７Ａ〜１１７Ｃによって、前記水溜め１１７Ａａ〜１１７Ｃａ内の湿し水を前記水元ローラ１１７Ａｂ〜１１７Ｃｂで送り出して、前記水ローラ列１１７Ａｃ〜１１７Ｃｃを介して前記部分版胴１１５Ａ〜１１５Ｃの前記版（ＰＳ版）に湿し水をそれぞれ供給すると共に、前記インキ装置１１６Ａ〜１１６Ｃによって、前記インキ壺１１６Ａａ１〜１１６Ｃａ１，１１６Ａａ２〜１１６Ｃａ２内のインキを前記壺ローラ１１６Ａｂ１〜１１６Ｃｂ１，１１６Ａｂ２〜１１６Ｃｂ２で引き出して、前記インキローラ列１１６Ａｃ〜１１６Ｃｃを介して前記部分版胴１１５Ａ〜１１５Ｃの前記版（ＰＳ版）にインキをそれぞれ供給すると、各前記部分版胴１１５Ａ〜１１５Ｃの前記版（ＰＳ版）において、非画線部に水膜が形成されると共に、画線部にインキ膜が形成され、これら部分版胴１１５Ａ〜１１５Ｃの各版（ＰＳ版）の画線部に対応した絵柄で前記集合ゴム胴１１４の前記ブランケットに上記インキがそれぞれ転写されてから、これら部分版胴１１５Ａ〜１１５Ｃから転写された上記インキが前記集合版胴１１３の前記凸版へまとめて転写された後、前記圧胴１１１の外周面に保持されたシートに対して、前記ゴム胴１１２を介して転写されることにより、ザンメル印刷が施される。
【００１５】
ここで、前記部分版胴１１５Ａ〜１１５Ｃに平版（ＰＳ版）を装着していることから、前記版（ＰＳ版）において、画線を構成する網点の密度や大きさによって当該部分版胴１１５Ａ〜１１５Ｃの軸方向及び周方向、すなわち、全方向（３６０°）にグラデーションを有する画線を形成することができるので、網点の密度や大きさでグラデーションを表現されたインキが、前記集合ゴム胴１１４のブランケット上に転写され、前記集合版胴１１３の前記凸版の凸部（絵柄）に写し採られ（転写され）、前記ゴム胴１１２のブランケットを介してシートに転写されることにより、当該シートの幅方向及び天地方向の両方向、すなわち、全方向（任意の方向）にグラデーションを生じさせた画線（絵柄）を印刷することができる。
【００１６】
このため、本実施形態に係るザンメル印刷機１００においては、従来のような振りローラの軸方向への振りによってシートの幅方向へ当該振りローラの振り量だけ画線の色を変化させるのではなく、シートの全方向（３６０°）の範囲で制約なく画線（絵柄）の色を漸次変化させることができる。
【００１７】
したがって、本実施形態に係るザンメル印刷機１００によれば、より高度な偽造防止用の印刷を施すことができる。
【産業上の利用可能性】
【００１８】
本発明に係るザンメル印刷機は、より高度な偽造防止用の印刷を施すことができるので、印刷産業等において、極めて有益に利用することができる。
【符号の説明】
【００１９】
１００  ザンメル印刷機
１１１  圧胴
１１２  ゴム胴
１１３  集合版胴
１１４  集合ゴム胴
１１５Ａ〜１１５Ｃ  部分版胴
１１６Ａ〜１１６Ｃ  インキ装置
１１６Ａａ１〜１１６Ｃａ１，１１６Ａａ２〜１１６Ｃａ２  インキ壺
１１６Ａｂ１〜１１６Ｃｂ１，１１６Ａｂ２〜１１６Ｃｂ２  壺ローラ
１１６Ａｃ〜１１６Ｃｃ  インキローラ列
１１７Ａ〜１１７Ｃ  湿し装置
１１７Ａａ〜１１７Ｃａ  水溜め
１１７Ａｂ〜１１７Ｃｂ  水元ローラ
１１７Ａｃ〜１１７Ｃｃ  水ローラ列
【図１】
2015047799.tif 000003